(57)【特許請求の範囲】
【請求項１】
厚さが０.１〜０.４ｍｍの金属薄板に絞り加工を加えて、曲げ伸ばし加工及びしごき加工のうちの少なくとも一つの薄肉化加工を実施することにより得られた、胴部壁を底部壁よりも薄肉に形成した有底円筒状の缶を素材とし、その缶における缶底側に更に加工を施して、傾斜面を持つ肩部と小径円筒状の口頸部を一体成形するボトル型缶の製造方法において、
前記缶の缶底コーナー部を縦断面が円弧状の肩部曲面に予備成形する工程と、
先端部の外面形状が該肩部の曲面形状をした皺押さえ用プッシャーと、先端部分の内面形状が該肩部の曲面形状をした絞り用ダイと、絞り用パンチとを用いて、該缶底コーナー部の肩部曲面を皺押さえした状態で、該缶の缶底を胴部よりも小径の有底円筒状に絞り成形する第一の小径円筒部形成工程と、
予備成形された前記肩部曲面に続く仮想曲面の縦断面円弧に対して引いた接線に近似した縦断面ほぼ直線状のテーパー面を先端部に有する皺押さえプッシャーと、少なくとも該プッシャーの該テーパー面と対面する部分に、該肩部曲面に続く仮想曲面の縦断面円弧に対して引いた接線に近似した縦断面直線状のテーパー面を有する再絞り用ダイと、再絞り用パンチとを含む工具を用いて、缶底から絞り成形された有底円筒部を、その缶底コーナー部を該工具の表面により皺押さえした状態で、更に小径の有底円筒状に絞り成形する第二の小径円筒部形成工程と、
第二の小径円筒部形成工程の絞り成形を、一回又は二回以上実施することにより形成された有底円筒部の直径が前記口頸部の直径とほぼ同じになった後に、前記第一の小径円筒部形成工程と前記第二の小径円筒部形成工程とにより形成された肩部を、胴部側の肩部曲面に連続した滑らかな傾斜面に押し延ばし成形する肩部の再成形工程とを具備していることを特徴とするボトル型缶の製造方法。
【請求項２】
前記第二の小径円筒部形成工程が、
前記肩部曲面に続く仮想曲面の縦断面円弧に対して引いた接線に近似した縦断面ほぼ直線形状のテーパー面を先端部に有する皺押さえ用プッシャーと、該肩部曲面に続く仮想曲面の縦断面円弧に対して引いた接線に近似した縦断面ほぼ直線形状のテーパー面を先端部に有し、該縦断面ほぼ直線状のテーパー面の外径が、該プッシャーのテーパー面の外径よりも大きい再絞り用ダイと、再絞り用パンチとを用いて、絞り成形により形成された該小径円筒部の前記底コーナー部を皺押さえした状態で、該小径円筒部を再絞り加工する工程と、該小径円筒部と傾斜面との間の境界線及びその近傍の該傾斜面部分と該プッシャーのテーパー面及び該ダイのテーパー面とが接触するようになるまで、再絞り加工を続行する工程とを含むことを特徴とする請求項１に記載のボトル型缶の製造方法。
【請求項３】
前記肩部の再成形工程で使用する工具として、前記肩部曲面から延びる仮想曲面の表面形状を持つ一対の成形工具を使用し、該肩部の大部分を該一対の成形工具の間に挟み込んで押し延ばし成形することにより、該肩部全体を肩部曲面に連続したドーム状の滑らかな曲面に再成形する工程を更に備えていることを特徴とする請求項２に記載のボトル型缶の製造方法。
【請求項４】
前記第二の小径円筒部形成工程が、
前記肩部曲面に続く仮想曲面の縦断面円弧に対して引いた接線に近似した縦断面ほぼ直線状の傾斜面を先端部に有する皺押さえ用プッシャーと、該プッシャーの該傾斜面と対面する部分に、前記肩部曲面に続く仮想曲面の縦断面円弧に対して引いた接線に近似した縦断面ほぼ直線状の傾斜面を有し、該傾斜面よりも先端側の部分に、縦断面円弧状の凸曲面を有し、該凸曲面の部分の外径が、該プッシャーの該傾斜面部分の外径よりも大きい再絞り用ダイと、再絞り用パンチとを用いて、前記絞り工程により形成された該小径円筒部の該底コーナー部を皺押さえした状態で、該小径円筒部を再絞り加工する工程と、該小径円筒部と傾斜面との間の境界線及びその近傍の該傾斜面の部分と該プッシャーの傾斜面及び該ダイの傾斜面とが接触するようになるまで、絞り加工を続行する工程とを含むことを特徴とする請求項１に記載のボトル型缶の製造方法。
【請求項５】
前記第二の小径円筒部形成工程を２回以上繰り返す場合における２回目以降の工程で使用する前記皺押さえ用プッシャーの傾斜面と前記再絞り用のダイの傾斜面及び凸曲面が、１回目で使用する前記プッシャーの傾斜面と前記ダイの傾斜面及び凸曲面と、それぞれほぼ同じ傾斜面及び凸曲面であることを特徴とする請求項４に記載のボトル型缶の製造方法。
【請求項６】
前記肩部の再成形工程で使用する工具として、前記肩部曲面から延びる仮想曲面に対して引いた接線に近似した縦断面直線形状のテーパー面の表面形状を持つ一対の成形工具と、前記小径円筒部内に挿入するパンチとを使用し、該肩部の大部分を一対の成形工具の間に挟み込み、該パンチにより該小径円筒部の底部を押圧することにより、該肩部に該小径円筒部方向への引っ張り力を付与して該肩部を押し延ばし成形することにより、該肩部の大部分を肩部曲面に続く縦断面直線形状の連続した滑らかな傾斜面に再成形する工程を更に備えていることを特徴とする請求項４に記載のボトル型缶の製造方法。
【請求項７】
前記絞り加工及び前記薄肉化加工により前記有底円筒状の缶を成形した後、該缶の缶底側を絞り加工する前に、先端部外周面が曲面になっているパンチを用いて前記缶の缶底コーナー部を予備成形することにより、該缶底コーナー部に肩部曲面を形成する工程を更に備えていることを特徴とする請求項１に記載のボトル型缶の製造方法。
【請求項８】
絞り加工及び薄肉化加工により胴部壁が底部壁よりも薄肉化された前記有底円筒状の缶を形成する加工の最終工程に使用するパンチとして、その先端部外周面が曲面になっているものを使用することにより、前記有底円筒状缶の最終成形工程において、該缶の缶底コーナー部に肩部曲面を予備形成することを特徴とする請求項１に記載のボトル型缶の製造方法。
【請求項９】
前記金属薄板が、アルミニウム合金板に予め熱可塑性樹脂フィルムを被覆した金属薄板を含むことを特徴とする請求項１に記載のボトル型缶の製造方法。
【請求項１０】
前記金属薄板が、表面処理鋼板に予め熱可塑性樹脂フィルムを被覆した金属薄板を含むことを特徴とする請求項１に記載のボトル型缶の製造方法。
【請求項１１】
前記有底円筒状の缶が、缶底近傍の側壁部分の厚みを、成形する前の前記金属薄板の板厚未満であって該板厚の６０％以上となるように薄肉化されていることを特徴とする請求項１に記載のボトル型缶の製造方法。
【請求項１２】
金属薄板製の有底円筒状の缶であって缶底コーナー部が円弧状の肩部曲面に形成された缶を素材とし、その缶における缶底側に更に加工を施して、傾斜面を持つ肩部と小径円筒状の口頸部を一体成形されたボトル型缶の製造に使用される成形加工工具において、
前記有底円筒状の缶の底部側を絞り成形することにより小径円筒部と肩部とを成形する際に、
前記有底円筒状缶の缶底コーナー部の前記肩部曲面の外面に当接され、先端部分の内面形状が該肩部曲面の曲面形状に一致している絞り用ダイと、
前記有底円筒状缶の缶底コーナー部の前記肩部曲面の内面に当接され、前記先端部分の外面形状が該肩部曲面の曲面形状に一致している第１の皺押さえ用プッシャーと、
これら絞り用ダイおよび第１の皺押さえ用プッシャーにより拘束された前記缶底のコーナー部より中心側の部分を内面側から外面側に相対的に押圧して有底円筒部を成形する絞り用パンチと、
前記小径円筒部の底部コーナー部の内面に当接され、予備成形された前記肩部曲面の断面円弧に対して引いた接線に近似した縦断面ほぼ直線状のテーパー面を先端部に有する第２の皺押さえ用プッシャーと、
前記小径円筒部の底部コーナー部の外面に当接され、少なくとも該第２の皺押さえ用プッシャーの該テーパー面と対面する部分に、前記肩部曲面の縦断面円弧に対して引いた接線に近似した縦断面直線状のテーパー面を有し、該縦断面直線状のテーパー面の外径が前記第２の皺押さえ用プッシャーのデーパー面の外径よりも大きい第１の再絞り用ダイと、
前記第２の皺押さえ用プッシャーと前記第１の再絞り用ダイとによって前記有底円筒部の底部コーナー部を皺押さえした状態で前記有底円筒部をその内面側から外面側に向けて相対的に押圧する第１の再絞り用パンチと、
前記再絞り成形によって形成された肩部を挟み込むと共に前記正面円筒部をその内面側から外面側に向けて相対的に押圧することにより肩部を前記肩部曲面に連続する滑らかな傾斜面に再成形する際に、
該肩部の外面に当接し先端部分の内面形状が前記肩部曲面に連続する滑らかな傾斜面を有する再形成用ダイと、
該肩部の内面側に当接し先端部分の外面形状が前記肩部曲面に連続する滑らかな傾斜面を有する再成形用プッシャーと、
前記再成形用ダイ及び前記再成形用プッシャーとによって前記小径円筒部の下方に形成されている肩部の大部分を挟圧した状態で前記小径円筒部をその内面側から外面側に向けて相対的に押圧することにより該肩部を再成形するパンチと
を備えていることを特徴とする成形加工工具。
【請求項１３】
前記再成形用ダイの先端部の内面形状と前記再成形用プッシャーの先端部の外面形状とが、それぞれドーム状曲面をしていることを特徴とする請求項１２に記載の成形加工工具。
【請求項１４】
前記第２の皺押さえ用プッシャーは、前記肩部曲面に続く仮想曲面の縦断面円弧に対して引いた接線に近似した縦断面ほぼ直線状の傾斜面を先端部に有し、
前記再絞り成形用ダイは、少なくとも前記第２の皺押さえ用プッシャーの前記傾斜面と対面する部分に、前記肩部曲面に続く仮想曲面の断面円弧に対して引いた縦断面ほぼ直線状の傾斜面を有し、該傾斜面よりも先端側の部分に、凸曲面を有し、該凸曲面部分の外径が、前記第２の皺押さえ用プッシャーの該傾斜面部分の外径よりも大きく、
前記再成形用ダイの先端部分の内面形状及び前記再成形用プッシャーの先端部分の外面形状が、それぞれ円錐台形状の傾斜面となっていることを特徴とする請求項１２に記載の成形加工工具。
【発明の詳細な説明】
【技術分野】
【０００１】
本発明は、厚さが０．１〜０．４ｍｍの金属薄板から、缶胴と肩部とネジ部を備えた口頸部とが一体的に成形されたボトル型缶を製造するための方法およびその方法で使用する工具に関する。
【０００２】
更に詳細に述べると、有底円筒状に成形された缶の底部側を加工することにより、傾斜した環状面を有する肩部と、小径の円筒状口頸部とを一体成形して、前述したボトル型缶を製造するのに際して、特に肩部を、階段形状或いは階段形状の痕跡が残っている様な形状ではなくて、滑らかで綺麗な傾斜面に形成するための成形方法およびその方法で使用する工具に関する。
【背景技術】
【０００３】
種々の清涼飲料水やビール等の飲料缶詰には、アルミニウム合金板や表面処理鋼板等の金属薄板を、絞りしごき加工することにより、缶胴（側壁部）と缶底とを一体成形したＤＩ缶（Drawn and Ironed can）が一般的に使用されている。
【０００４】
すなわちこのようなＤＩ缶は、耐圧強度の高い形状の底部と絞りしごき加工により薄肉化された胴部とが一体成形されると共に、胴部の上端開口部にその直径を縮径するためのネックイン加工が施されて缶本体が形成され、その缶本体に、清涼飲料水やビール等の飲料を充填し、その後、胴部直径よりも小さな直径のイージーオープンエンド（簡易開口部付きの蓋板）を、縮径した上端開口部に巻縮めして密封することにより、飲料缶詰商品として出荷されている。
【０００５】
また、特許文献１に記載されているように、表面処理鋼板の両面を熱可塑性樹脂フィルムにより被覆した表面処理鋼板に、絞り加工と再絞り加工（再絞り加工時に曲げ伸ばし加工を行う）とを施して、胴部壁が底部壁よりも薄肉になるように成形された有底円筒状の缶を製造し、さらにこの缶に対して、ＤＩ缶と同様のネックイン加工を施して飲料用缶として使用することが実用化されている。
【０００６】
一方、種々の清涼飲料水の容器として、近年、ポリエチレンテレフタレート樹脂製の２軸延伸成形容器（ＰＥＴボトル）が使用されるようになってきており、それに伴い、ネジキャップで再密封可能なＰＥＴボトル入りの商品が数多く生産されている。
【０００７】
その様な飲料用のＰＥＴボトルは、上記した飲料缶詰の缶容器と比べると、キャップにより再密封できるという利点はある。しかしながら、資源を回収してリサイクルするリサイクル率の点では前記の缶容器よりはかなり低い状態にある。そのため、資源のリサイクル率の高い缶容器にキャップで再密封できる機能を付加することにより、缶容器の利便性を高めることが検討されている。
【０００８】
従来、ＰＥＴボトルに類した形状のボトル型のＤＩ缶、即ち、ネジ付きキャップと螺合するネジ部を備えた口頸部を有するＤＩ缶の幾つかのタイプが、特許文献２に開示されている。
【０００９】
そのＤＩ缶のタイプとしては、缶胴の上端開口部に巻き締める蓋板にネジ部付きの口頸部を一体成形したタイプ、缶胴の上端開口側をネックイン加工により段階的に縮径することによりネジ付き口頸部を一体成形したタイプ、カップの底部（端壁部）側に多段工程の絞り加工を施すことにより、小径の口頸部と傾斜面を有する肩部とを形成した後に、カップの胴部にしごき加工を施して肉薄の胴部とし、更に口頸部にネジ部を形成すると共に胴部の開口端に缶蓋を巻き締めたタイプ等がある。上記の公報には、それぞれのタイプのボトル型缶の構造と共に成形方法が記載されている。
【００１０】
また、缶胴の絞り加工時に底部を凸形段付き形状に絞り、その後のしごき加工時に凸形段付き形状を再絞りして、ＤＩ缶の缶底（端壁部）に小径の円筒状の口頸部と怒り肩形状の肩部とを備えた段付き凸部を形成し、この口頸部にネジ加工してネジ栓で密封し、ＤＩ缶の胴部の開口端部側から飲料を充填した後、この開口端部に缶蓋を巻き締めて密封することが、特許文献３に開示されている。
【００１１】
更に、特許文献４には、絞りしごき加工により成形されたＤＩ缶の缶底にプレス加工（絞り加工）を施して、小径の円筒状の口頸部と円錐台形の肩部とを成形し、その後、口頸部にネジ山を刻設するか又はネジ付き筒部を装着することが開示されている。
【００１２】
上述したネジ付きキャップで再密封可能なボトル型缶のうち、ネジ付き口頸部を蓋板に一体成形しておくタイプの缶は、缶本体をＤＩ缶として成形しておき、あるいは絞り加工と曲げ伸ばし加工（ストレッチ加工）によるＤＴＲＤ缶（Drawn Thin Redrawn）や曲げ伸ばし加工（ストレッチ加工）としごき加工とを施された缶の様な有底缶として成形しておき、その缶胴に飲料などの内容物を充填した後に、ネジ付き口頸部を一体成形した蓋板を缶胴の上端開口部に巻締めて密封する。したがってこのタイプのボトル型缶によれば、缶本体の形状が従来一般の缶とほぼ同様であるから、充填設備の変更が少なく、設備費用を抑制できるなどの利点がある。
【００１３】
しかしながら、このタイプのボトル型缶では、缶の上部に蓋板の巻締め部分があるために、巻締め部分の内側の凹部に埃やゴミが溜まり易く、また、巻締め部分そのものが突出して外観の見栄えが悪いという問題がある。
【００１４】
また一方、口頸部を蓋板に形成する替わりに、缶本体の上端部に一体に成形したタイプのボトル型缶では、缶本体の絞りしごき加工または曲げ伸ばし加工に伴ってその上端部が同様の加工を受けて薄く伸ばされる。したがって後工程での口頸部の加工を考慮して缶本体の上端部を、それより下方の部分より材料の伸びが少なくなるように加工を施して相対的に厚肉に加工する場合がある。しかしながら、口頸部は缶本体に対してかなり小径であるから、口頸部を成形するための縮径率が大きく、したがって一回の絞り量を大きくして一度に縮径させることは困難である。これに加え、材料コストを削減するためにキャップを小さくし、それに合わせて口頸部を缶本体の外径よりも大きく縮径させることが望まれ、そのような要望に応えるためには、缶本体の上端開口部を絞り加工して口頸部を形成する際の縮径率を更に大きくする必要が生じ、その結果、多段のネックイン加工が必要となる。
【００１５】
例えば、ビール等の飲料缶に比較的多用される缶は、缶胴直径が６６ｍｍ（２１１径）のものであり、その様な缶の口頸部を直径２５．４ｍｍまでネックイン加工するとすれば、２０〜３０回のネッキング工程が必要となる。このように、缶本体の上端開口部を縮径して口頸部を形成するボトル型缶では、多くのネッキング加工用成形機が必要となって設備費用がかさんだり、加工工程数の増加に伴って缶に傷付きや変形が発生する機会が多くなって缶の品質が低下するなどのおそれがある。
【００１６】
これに対して、缶底側に加工を施して肩部と口頸部とに成形するタイプのボトル型缶では、肩部の一部と口頸部とに成形される部分である缶底部分が、缶の成形に際して殆ど加工の影響を受けていない部分であるから、加工硬化がなく厚みも元の金属薄板材の厚さとほぼ同じ部分に加工を施すことになる。しかも、缶底側に絞り加工を施す場合には、皺押さえして縮径することができる。したがって、上記の様な缶胴の上部をネックイン加工して口頸部を成形する場合と比べて、一回の絞り量を大きくして一回の工程で大きく縮径させることができ、口頸部の成形に要する工程数を大幅に減らすことができる。
【００１７】
しかしながら、ネックイン加工の場合と比べて一回の絞り量を大きくすることができるとは言っても、絞り比（一回の絞りによる縮径率）には限界がある。皺押さえを付けた絞り加工の場合の絞り比の限界は、材質の違いにより若干は異なるが、例えば、ビール用缶の薄い金属板製の飲料缶では１．５程度である。したがって有底円筒状のＤＩ缶（直径６６ｍｍ）の平坦な缶底から小径円筒状の口頸部（直径２５．４ｍｍ）を絞り成形する場合、絞り工程を３〜４回繰り返して行う必要がある。
【００１８】
ＤＩ缶の缶底側に小径の口頸部を一体に成形する方法として、特許文献３には、直径６７．８３ｍｍのスズメッキ鋼板製のＤＩ缶を製造する再絞り工程で、缶の底部に直径が２６ｍｍの凸形段付き形状部を絞り加工し、その後のしごき加工の最終ストロークで缶底の凸形段付き形状部を再絞りすることにより、いわゆる怒り肩形状の肩部と、高さが６ｍｍで直径が１６ｍｍの円筒状の口頸部とを形成する方法が開示されている。
【００１９】
また、特許文献４には、有底円筒状に形成されたＤＩ缶の缶底をプレス加工（絞り加工）することにより、円錐台状の肩部と円筒状の口頸部とを形成する方法が開示されている。
【００２０】
しかしながら、前者の方法では、口頸部の高さ寸法が６ｍｍと短過ぎて十分な密封性を確保できるネジ部を形成することは不可能である。また、後者の方法では、その公報の図面には多段工程による絞り工程が示されていないが、その図２と図３から明らかなように、缶胴部が底蓋の厚さに比べて２〜３倍の厚さを有していることと、その説明中に、口頸部にネジ山を刻設することを予定しているとの記述があることからも分かるように、胴部材として、比較的厚肉（０．６〜１．５ｍｍ程度）のアルミニウム合金板又はステンレススティール板を使用している。このような厚肉の素材を使用すれば、絞り比を大きくとっても絞り加工による皺の発生は少なくなる。たとえそうであっても、小径の円筒状口頸部と円錐台形（または切頭円錐形）の肩部とを成形する場合には、多くの絞り加工を繰り返して行う必要があり、そのために、皺の発生を抑制できるとしても、肩部には絞り加工の数に応じた階段状段部又は多数の円周状の痕跡が残ってしまう。この様な階段状段部は、前記特表平１０−５０９０９５号の図２８に示されている複数個の凹凸段又はリブ及び図３２に示されている複数個の凹凸段部又は円周ビード１０８と同じ形状のものである。
【００２１】
ところで、プレス加工による多段絞り加工の際の階段状段部又はこれらの階段状段部を滑らかにした際に発生する円形状のショックマークの問題について、小型のビール樽用のお椀形状をした蓋の製造方法を開示している特許文献５では、下記の様な説明がなされている。
【００２２】
従来は、蓋をお椀形状に絞り加工する際に、多段の絞り加工をした後、最後に所定の滑らかなお椀形状に仕上げると同時に寸法出しのために、引張り成形加工（最終型付け）を行う。このような加工工程における前記多段の前絞り加工によって、お椀形蓋本体の外面に、複数個の同心円状の環状凸部が生じる。これらは直径の異なるパンチの先端外周縁部で形成される部分である。この環状凸部を解消するためには、各環状凸部を、その湾曲方向と逆方向に反り返さなければならが、その場合、一旦引き延ばされた素材表面組織が逆に圧縮応力を受けることになるために上述したショックマークが発生してしまい、これが原因となって著しく商品価値が低下する。
【００２３】
このショックマークは、あたかも傷のように見えるので外観の見栄えが低下するばかりでなく、耐食性の低下の原因となる。また、ショックマークは、蓋本体の内面にも同様に発生するため、エポキシ系樹脂のコーティングを内外両面に有するアルミニウム合金薄板を素材として採用した場合には、ショックマークの部分でコーティングが剥離して腐食が起こるため、食品を充填する缶として使用することができない。従って、食品用缶としてアルミニウム合金薄板を使用する場合には、プレス加工後にアルマイト処理、塗装等の表面処理が必要となり、コストアップが避けられなかった。
【００２４】
そこで、特許文献５に記載の発明では、多段絞り加工により得られる複数個の環状凹凸部分をお椀形蓋本体にそのまま残すことによりショックマークの発生を防止しようとしている。
【００２５】
しかしながら、この様な複数個の環状の凹凸部分が容器の上面側にあれば、外観の見栄えが良好であるとは言い難く、また、このような形状の容器にあっては、店頭での陳列中に埃が凹部に溜まり易く、しかも溜まった埃をふき取り難いので、見栄えが悪くなるという問題がある。
【００２６】
前述したように、ＤＩ缶の平坦な缶底に絞り加工を３〜４回繰り返して施すことにより、小径の円筒状口頸部と傾斜面を有する肩部とを缶本体に一体に形成でき、したがって通常の飲料用容器として使用されている横断面丸形のＰＥＴボトルの形状に類似した形状のボトル型缶を得ることができる。その成形工程における各絞り加工工程では、それぞれ工具による皺押さえをする必要があるから、ボトル型缶の肩部となる部分に、絞り用ダイの内周端縁部の形状に対応したリング状で且つ階段状の段差部が、絞り（再絞り）工程の回数に応じて形成され、また円筒状部分と傾斜面部分との間に明瞭な境界線が形成される。これらの段差部や境界線を解消して滑らかな傾斜面とするために、ドーム状の傾斜曲面又は縦断面傾斜直線状の傾斜面を備えた一対の再成形工具を使用してプレス加工し、これら成形工具の表面形状に沿った形状の肩部を再成形することが考えられる。しかしながら、このようなプレス加工を行っても、前記階段形状の段差部や円筒状部分と傾斜面部分との間の明確な境界線がリング状に成形痕として残ってしまい、外観の見栄えが悪くなる。
【００２７】
このことをもう少し詳細に説明すると、上記のように複数回の絞り工程を繰り返して徐々に小径の円筒部と傾斜した肩部とを製造する方法では、再絞り加工前に生じていた、小径円筒部と傾斜面との間の円周状の境界線であった部分が、再絞り加工により更に小径となった円筒部の下方に続く傾斜した肩部の一部に、円形状の痕跡として目立つ状態で残ってしまう。
【００２８】
仮に、絞り加工を４回行えば、肩部に、３本の円形状段差部（階段状の段差部）又は境界線の痕跡が明瞭に残ってしまう。この円形状の段差部または痕跡は肩部の再成形を行っても消えることはない。
【００２９】
即ち、小径円筒部と傾斜面との間の境界線であった部分が、次の絞り加工によって新たに形成された肩部に、円形状の段差部又は境界線の痕跡として明瞭に残り、そのような痕跡は、従来の技術では再成形しても消すことは不可能であった。
【００３０】
上記の円形状の痕跡は、容器としての機能に大きく影響するものではないが、販売される商品としては重要な問題となる。即ち、商品イメージは容器の外観で具現化されるのであるから、飲料メーカーは、消費者の購買意欲を沸き立たせる様なデザインを常に要求しており、したがって缶を製造するにあたっては、口頸部から缶胴に至る肩部の形状を、滑らかで綺麗なドーム状の傾斜曲面又は滑らかで綺麗な縦断面傾斜直線状の傾斜面とすることは、デザイン上重要なポイントとなる。したがって、上記の様な成形痕は、デザイン上の欠陥となるから、これをなくすことが強く望まれている。
【００３１】
ところで、特許文献２、特にその図１８〜図２７には、金属薄板から打ち抜いたブランクを絞り成形したカップに対して、先ず、その底部に絞り工程を複数回（好ましくは３回以上）繰り返して施すことにより小径円筒状の口頸部を成形し、次に、底部の口頸部周辺をドーム形状の肩部に膨出成形し、その後、再絞りとしごき加工とにより、カップの胴部（側壁部）を小径で薄肉の円筒形状胴部に成形する方法が開示されている。
【００３２】
しかしながら、ここに開示されている方法では、缶胴を成形する際に、カップの側壁部から缶胴の薄肉胴部への金属薄板材料の移動に連れて、カップの底部に形成されている口頸部の金属薄板材料が肩部を通して缶胴の胴部部分に引きずり込まれることとなる。そのため、カップの底部に形成された口頸部の円筒形状を当初の形状に維持できず、口頸部の円筒の垂直壁が円錐台のテーパー壁となってしまい、そのままの状態では、口頸部へのネジ成形工程において、所定のネジ山を形成することができない不都合が生じる。従って、ネジキャップとの間の密封性能を確保するために、ドーム形状に膨出した肩部から円筒形状の口頸部を垂直壁として立ち上がらせるように、口頸部や肩部を再成形しなければならないという問題がある。
【００３３】
【特許文献１】国際公開第８１／０１２５９号パンフレット
【特許文献２】特表平１０−５０９０９５号公報（国際公開第９６／１５８６５号パンフレット）
【特許文献３】特開昭５８−４７５２０号公報
【特許文献４】特開昭６４−６２２３３号公報
【特許文献５】特開昭５５−１０７６３８号公報
【発明の開示】
【発明が解決しようとする課題】
【００３４】
本発明の主な目的は、上記の口頸部やこれに続く滑らかな肩部を容易に成形することのできるボトル型缶の製造方法を提供することである。
【００３５】
より具体的には、本発明の目的は、従来技術では消滅不可能であったところの、最初の小径円筒部成形のための絞り工程から最終絞り工程の一つ前の絞り工程までの工程で形成された小径円筒部と傾斜面との間に存在した境界線を、肩部の再成形後には殆ど気が付かない程度に消滅させることである。
【００３６】
即ち、本発明の目的は、金属薄板からなるボトル型缶の製造方法であって、その缶底部側を複数回絞り加工して、縦断面円弧状の傾斜曲面又は縦断面直線傾斜状の傾斜面を持つ肩部と小径円筒状の口頸部とを成形するのに際して、該口頸部を所定の直径にまで縮径するために絞り加工を複数回繰り返して行っても、前記複数回の絞り加工により形成される円筒状部分と傾斜面部分との間の円形状の境界線又はその痕跡を肩部に明瞭に残すことなく、しかも滑らかで綺麗なドーム状の傾斜曲面又は縦断面直線状の傾斜面の肩部を成形できる方法を提供することである。
【課題を解決するための手段】
【００３７】
上記の目的を達成するために、本発明の方法は、厚さが０.１〜０.４ｍｍの金属薄板に絞り加工に加えて、曲げ伸ばし加工及びしごき加工のうちの少なくとも一つの薄肉化加工を実施することにより得られた、胴部壁を底部壁よりも薄肉に形成した有底円筒状の缶を素材とし、その缶における缶底側に更に加工を施して、傾斜面を持つ肩部と小径円筒状の口頸部を一体成形するボトル型缶の製造方法であって、前記缶の缶底コーナー部を縦断面が円弧状の肩部曲面（肩部の一部分となる予定の曲面）に予備成形する工程と、先端部分の外面形状が該肩部の曲面形状をした皺押さえ用のプッシャーと、先端部分の内面形状が該肩部の曲面形状をした絞り用ダイと、絞り用ポンチとを用いて、該缶底コーナー部の肩部曲面を皺押さえした状態で、該缶の缶底を胴部よりも小径の有底円筒状に絞り成形する第一の小径円筒部形成工程と、予備成形された前記肩部曲面に続く仮想曲面の縦断面円弧に対して引いた接線に近似した縦断面ほぼ直線状のテーパー面を有する皺押さえ用プッシャーと、少なくとも該プッシャーの該テーパー面と対面する部分に、該肩部曲面に続く仮想曲面の縦断面円弧に対して引いた接線に近似した縦断面直線状のテーパー面を有する再絞り用ダイと、再絞り用ポンチとを含む工具を用いて、缶底から絞り成形された有底円筒部を、その缶底コーナー部を該工具の表面により皺押さえした状態で、更に小径の有底円筒状に絞り成形する第二の小径円筒部形成工程と、前記第二の小径円筒部形成工程の絞り成形を、一回又は二回以上実施することにより形成された有底円筒部の直径の直径が前記口頸部の直径とほぼ同じになった後に、前記第一の小径円筒部形成工程と前記第二の小径円筒部形成工程とにより形成された肩部を、胴部側の肩部曲面に連続した滑らかな傾斜面に押し延ばし成形する肩部の再成形工程とを具備したことを特徴とするボトル型缶の製造方法である。
【発明の効果】
【００３８】
従って、本発明のボトル型缶の製造方法によれば、有底円筒状の缶の、予め肩部曲面が形成されている缶底コーナー部により囲まれた平坦な缶底に対して、先端部の内面形状が肩部曲面形状をした絞り用ダイと先端部の外面形状が肩部曲面形状をした皺押さえ用プッシャーとを用いて、一回目の絞り成形するので、予備成形した肩部曲面形状が小径の有底円筒部の下方に皺を発生させることなく再成形される。
【００３９】
また、小径の口頸部を成形するための絞り加工工程を複数回繰り返しても、二回目以降の絞り加工工程となる該第二の小径円筒部形成工程において、先端部の形状が肩部曲面に続く仮想曲面の縦断面円弧に対して引いた接線に近似した縦断面ほぼ直線形状のテーパー面を有する皺押さえ用プッシャーと、少なくとも該プッシャーの該テーパー面と対面する部分に、先端部の形状が肩部曲面に続く仮想曲面の縦断面円弧に対して引いた接線に近似した縦断面ほぼ直線状のテーパー面を有する絞り用ダイとを用いて行われるので、肩部が各絞り加工で使用される該ダイと該プッシャーの表面と同じ表面形状又はこれらの繰り返し形状として形成されるから、その後の再成形工程においてこれらのテーパー面は押し延ばし再成形されて、胴部側の肩部曲面に連続した滑らかな傾斜面を有する肩部に形成できる。
【００４０】
また、前記第二の小径円筒部形成工程が、前記肩部曲面に続く仮想曲面の縦断面円弧に対して引いた接線に近似した縦断面直線形状のテーパー面を先端部に有する皺押さえ用プッシャーと、該肩部曲面に続く仮想曲面の縦断面円弧に対して引いた接線に近似した縦断面直線形状のテーパー面を先端部に有し、該縦断面ほぼ直線状のテーパー面の外径が、該プッシャーのテーパー面の外径よりも大きい再絞り用ダイと、再絞り用りポンチとを用いて、絞り成形により形成された該小径円筒部の底コーナー部を皺押さえした状態で、該小径円筒部の再絞り加工を行い、該小径円筒部と傾斜面との間の境界線及びその近傍の該傾斜面部分と該プッシャー及び該ダイのテーパー面とが接触するようになるまで該再絞り加工を続行し、更に、前記肩部の再成形工程が、該肩部の１又は２以上の縦断面直線状のテーパー面を、胴部側の肩部曲面に連続した滑らかなドーム状の曲面に押し延ばし成形する方法であっても良い。
【００４１】
従って、本発明のボトル型缶の製造方法によれば、有底円筒状の缶の肩部曲面が予め形成されている缶底コーナー部により囲まれた平坦な缶底に対して、小径の円筒部を成形するための絞り加工工程を複数回繰り返しても、二回目以降の絞り加工工程となる該第二の小径円筒部形成工程において、肩部曲面に続く仮想曲面の縦断面円弧に対して引いた接線に近似した縦断面ほぼ直線形状のテーパー面を、それぞれ先端部に有する前記プッシャーと前記ダイとであって、該縦断面ほぼ直線状のテーパー面の外径が、該ダイの方が該プッシャーよりも大きいもの、即ち、該ダイのテーパー面の下端部分が該プッシャーのテーパー面の下端部分よりも缶軸の半径方向外方に位置するようになっている該ダイと該プッシャーを用いて再絞りを行うと共に、該ダイ及び該プッシャーの各テーパー面が、前工程で絞り成形された小径有底円筒部と傾斜面との間の境界線及びその近傍の傾斜面部分とに接触するまで絞り加工がなされるので、肩部に明瞭な該境界線又はその痕跡が残ることはない。
【００４２】
即ち、前工程において、絞り用ダイ又は再絞り用ダイの先端部内面側の角部形状に沿った形状に形成された部分である、傾斜面と小径円筒状部分との間の境界線（または屈曲部）が、再絞り加工の進行に伴って、該缶外面側の再絞り用ダイのテーパー面と当接し、該テーパー面からの摩擦抵抗力を受けながら小径有底円筒部側に引っ張られる際に該境界線が不明瞭な状態にされ（または屈曲部がその屈曲の程度を少なくされ）、更に、互いに対向する方向へ押圧力を加えられている該再絞り用ダイと皺押さえ用プッシャーとの間を通過する際に、該不明瞭な状態の境界線（または浅くされた屈曲部）及びその近傍の傾斜面部が引っ張り力によりならされて平坦部に変えられるので、当初の肩部曲面に続いて形成される部分が、明瞭な境界線（または深い屈曲部）が残った段差部となることはない。
【００４３】
しかも、この肩部は、複数回の絞り工程により、浅い凸部又は稜線によって連結された１又は２以上の縦断面ほぼ直線状のテーパー面として形成されるから、それらを肩部の再成形工程において、連続した滑らかなドーム状の曲面に押し延ばして再成形することにより、多段の絞り加工工程に起因する成形痕（前記境界線の痕）を殆ど残す様なことなく、比較的大径の円筒状胴部と比較的小径の口頸部とを連結する肩部を、胴部側の肩部曲面に連続した滑らかで綺麗な縦断面円弧状の曲面に形成することができる。
【００４４】
また、本発明の方法は、前記肩部の再成形工程で使用する工具として、前記肩部曲面から延びる仮想曲面の表面形状を持つ一対の成形工具を使用し、該肩部の大部分を一対の成形工具の間に挟み込んで押し延ばしすることにより、該肩部の大部分を肩部曲面に沿ったドーム状の連続した滑らかな曲面を有する形状に成形する方法でも良い。
【００４５】
従って、前記肩部曲面から延びる仮想曲面の表面形状を持つ一対の成形工具を使用して押し延ばし成形することにより、肩部全体を胴部側の肩部曲面に連続した縦断面円弧状の滑らかな曲面を有する形状にすることができる。
【００４６】
また、本発明の方法は、前記第二の小径円筒部形成工程が、前記肩部曲面に続く仮想曲面の縦断面円弧に対して引いた接線に近似した縦断面ほぼ直線状の傾斜面を先端部に有する皺押さえ用プッシャーと、該プッシャーの該傾斜面と対面する部分に、前記肩部曲面に続く仮想曲面の縦断面円弧に対して引いた接線に近似した縦断面ほぼ直線状の傾斜面を有し、該傾斜面よりも先端側の部分に、縦断面円弧状の凸曲面を有し、該凸曲面部分の外径が、該プッシャーの傾斜面の外径よりも大きい再絞り用ダイと、再絞り用パンチとを用いて、前工程の絞り成形により形成された該小径円筒部の底コーナー部を皺押さえした状態で、該小径円筒部の再絞り加工を行い、該小径円筒部と傾斜面との間の境界線（または屈曲部）及びその近傍の該傾斜面の部分と該プッシャー及び該ダイの表面とが接触するようになるまで該再絞り加工を続行する方法であっても良い。
【００４７】
従って、本発明のボトル型缶の製造方法では、二回目以降の小径円筒部の再絞り成形において、絞りダイ又は再絞りダイの先端部内面側の角部形状に沿った形状に、前工程で形成された小径円筒部と傾斜面との間の境界線（または屈曲部）及びその近傍の該傾斜面の部分は、絞り加工の進行に伴って、該ダイの凸曲面と当接し、この凸曲面からの摩擦抵抗力を受けながら小径有底円筒部側に引っ張られる際に該境界線が不明瞭な状態にされ（または屈曲部の屈曲の程度を少なくされ）、更に、互いに対向する方向への押圧力を加えられている前記プッシャーと該ダイとの間を通過する際に、該境界線（または屈曲部）及びその近傍の傾斜面部は引っ張り力によりならされて平坦化され、また新しく成形された小径円筒部に近い部分の傾斜面は、該ダイの凸曲面形状を転写されて浅い凹曲面に変えられる。
【００４８】
この浅い凹曲面は肩部の再成形工程で滑らかな傾斜面に成形され易い。
【００４９】
更に、本発明の方法は、前記第二の小径円筒部形成工程を２回以上繰り返す場合において使用する皺押さえ用プッシャー及び再絞り用ダイとして、前記第二の小径円筒部形成工程の１回目で使用した皺押さえ用プッシャー及び再絞り用ダイとほぼ同じ傾斜面及びほぼ同じ凸曲面を有するものを用いて成形する方法であっても良い。
【００５０】
従って、複数回の再絞り工程により、肩部となる傾斜面部分には、複数個の浅い凹曲面ができるので、肩部の再成形工程で滑らかな傾斜面に成形し易い。
【００５１】
また、本発明の方法は、肩部の再成形工程で使用する工具として、肩部曲面から延びる仮想曲面に対して引いた接線に近似した縦断面直線形状のテーパー面の表面形状を持つ一対の成形工具と、前記小径円筒部内に挿入されるパンチとを用いて、該肩部の大部分を一対の成形工具の間に挟み込むと共に、該パンチにより該小径円筒部の底部に押圧力を加えることにより、該肩部を押し延ばし成形して、該肩部の大部分を肩部曲面に続く縦断面直線形状の連続した滑らかな傾斜面を有する形状に成形する方法であっても良い。
【００５２】
従って、肩部曲面から延びる仮想曲面に対して引いた接線に近似した縦断面直線形状のテーパー面の表面形状を持つ一対の成形工具で該肩部の大部分を挟み込むと共に、パンチにより、該小径円筒部の底部に押圧力を加えることにより、該肩部に対して該小径円筒部側への引っ張り力が加わるので、浅い凹曲面が複数個形成されている肩部が押し延ばし成形されると共に、該一対の成形工具に挟まれている部分が該成形工具の表面形状と同じ縦断面直線形状のテーパー面形状になる。
【００５３】
その結果、肩部の再成形工程では、胴部側で該肩部曲面と滑らかに連続し、しかも大部分が縦断面直線形状の連続した滑らかな傾斜面を有する肩部形状が形成される。
【００５４】
また、本発明の方法では、前記絞り加工及び前記薄肉化加工により前記有底円筒状の缶を成形した後、該缶の缶底側を絞り加工する前に、先端部外周面が曲面になっているパンチを用いて前記缶の缶底コーナー部を予備成形することにより、該缶底コーナー部に肩部曲面を形成する方法とすることができる。
【００５５】
従って、予備成形工程を単独の工程としたので、缶底コーナー部に対して、曲率半径の大きな曲面だけでなく、曲率半径の小さな曲面でも容易に成形でき、また缶底コーナー部に肩部曲面を予備成形しておくことで、次の絞り加工工程で小径円筒部を成形する際に小径円筒部の下端に皺を発生させることなく肩部曲面を再成形でき、最終的には、円筒状胴部とドーム状の曲面又は円筒状胴部と縦断面直線状の傾斜面の肩部とを滑らかに連続させることができる。
【００５６】
また、本発明の方法では、絞り加工及び薄肉化加工により胴壁が底壁よりも薄肉化された前記有底円筒状の缶を形成する加工の最終工程に使用するパンチとして、その先端部外周面が曲面になっているものを使用することにより、前記有底円筒状缶の最終成形工程において、該缶の缶底コーナー部に肩部曲面を予備形成する方法とすることができる。
【００５７】
従って、底壁よりも薄肉の胴壁を有する円筒状の缶を成形する最終工程で、缶底コーナー部を曲面に形成することにより、胴壁薄肉化工程と肩部曲面予備成形工程とを一つの工程としたので、加工工程数を減少させることができる。
【００５８】
また、本発明の方法では、前記金属薄板として、アルミニウム合金板に予め熟可塑性樹脂フィルムを被覆したものを使用することができる。
【００５９】
従って、アルミニウム合金板の両面が熱可塑性樹脂フィルムにより被覆されているので、絞り加工や薄肉化加工を行って前記有底円筒状の缶を成形する際や、該缶の缶底側を絞り加工する際や、口頸部にネジを成形する際等に、該熱可塑性樹脂フィルムが潤滑剤の役目をすると共に、アルミニウム合金板が伸びたり曲がったりする時に、被覆している熱可塑性樹脂フィルム層も追従して伸びたり曲がったりするので、潤滑剤の使用量が少なくて済むだけでなく、アルミニウム合金板表面に加工工具による傷が付き難い。
【００６０】
しかも、該熱可塑性樹脂による被覆状態をボトル型缶の成形後にも維持し得るので、ボトル型缶を成形した後に新たに保護塗装を施す必要がない。
【００６１】
また、本発明の方法では、前記金属薄板として、表面処理鋼板に予め熱可塑性樹脂フィルムを被覆したものを使用することができる。
【００６２】
従って、表面処理鋼板の両面が熱可塑性樹脂フィルムにより被覆されているので、絞り加工や薄肉化加工を行って前記有底円筒状の缶を成形する際や、該缶の缶底側を絞り加工する際や、口頸部にネジを成形する際等に、該熱可塑性樹脂フィルムが潤滑剤の役目をすると共に、表面処理鋼板が伸びたり曲がったりする時に、熱可塑性樹脂フィルム層が追従して伸びたり曲がったりするので、潤滑剤の使用量が少なくて済むだけでなく、表面処理鋼板表面に加工工具による傷が付き難い。
【００６３】
しかも、該樹脂による被覆状態をボトル型缶の成形後にも維持し得るので、ボトル型缶を成形した後に新たに保護塗装を施す必要がない。
【００６４】
更に、本発明の方法では、前記有底円筒状の缶が、缶底近傍の側壁部分の厚みを、成形する前の前記金属薄板の板厚未満であって該板厚の６０％以上となるように、薄肉化されていることが好ましい。
【００６５】
従って、多段の絞り加工を施す箇所である有底円筒状の缶の缶底近傍の側壁部分の厚さが、缶を成形加工する前の前記金属薄板の元板厚の６０％以上から元板厚未満までの厚さを有するので、コーナー部を肩部曲面に予備成形する際に、この部分に皺が発生し難く、胴部から肩部への連結部分を滑らかな曲面とすることができる。
【発明を実施するための最良の形態】
【００６６】
つぎに、本発明のボトル型缶の製造方法の第一の実施例について、図面に基づいて説明する。
【００６７】
図１は、本発明の方法により製造されるボトル型缶の一例を示すもので、ここに示すボトル型缶１は、大径円筒状の缶胴２から上方に、縦断面が円弧状のドーム形状の肩部３を介して、小径円筒状の口頸部４が一体的に成形され、缶胴２の下端開口部が底蓋５を巻き締め固着されることにより閉鎖されている。
【００６８】
このボトル型缶１は、大径の円筒状の缶胴２と小径の円筒状の口頸部４とを、丸みを帯びた傾斜曲面を有する肩部３が滑らかに連結している形状に特徴があり、口頸部４の上端にはカール部６１が形成され、その下方にはネジ部６２が形成され、更に下方にはピルファーフルーフキャップ（Pilfer proof cap）又はタンパーエビデンスキャップ（tamper evidence cap）の破断帯を固着するための環状凸部６３が形成されている。
【００６９】
図２〜図５は、図１に示したボトル型缶１を製造するときの工程を示すものであって、先ず、図２に示すように、原材料の金属薄板を円板状に打ち抜いて一缶分のブランク１００とする。次に、このブランク（金属薄板の円板）１００をカップ形状に絞り加工して（図２）カップ１０１としてから、このカップ１０１の側壁部に絞り（再絞り）・しごき加工を施して円筒体１０２とし、ついで、開口端側を所定の長さにトリミングする（図２）。こうした一連の工程で、一端側が開放された有底円筒状のＤＩ缶（Drawn and Ironed can）１０３を製造する。
【００７０】
なお、図２では、説明を簡単にするために、絞り・しごき工程を１工程としているが、この絞り・しごき工程は、無理なく缶胴を成形するために２〜４工程に分けて行うことが好ましい。
【００７１】
また、この有底円筒状の缶を成形する工程では、ブランクをカップ形状に絞り成形してから、カップを絞り・しごき加工する際に、開口端側にフランジ（frange）を残す成形方法を採用すれば、この時点でのトリミング工程を省略することもできる。
【００７２】
このように製造されたＤＩ缶の缶底側を、ドーム形状に成形するトップドーム成形を行うために、図３に示すように、先ず、トップドーム成形の１工程目で、ＤＩ缶１０３の缶底コーナー部（缶底及び缶底近傍の缶胴）を縦断面が円弧状の肩部曲面３１に予備成形する。なお、図３〜図５では缶底側がトップとなるように示してある。
【００７３】
この肩部曲面３１の形状は、その後の絞り加工（図３参照）で小径の有底円筒部４２の下方位置に成形し直され、成形し直された肩部曲面３１が、最終的には、円筒状胴部との連結部分となり、胴部と肩部との連結部分を滑らかにするための部分となる。
【００７４】
次に、２工程目で、その平坦な缶底を缶胴よりも小径の有底円筒状に絞り成形する（図３、図６参照）。この工程で、予備成形された肩部曲面３１は、小径の有底円筒状部の一部に成形し直され、その下方の缶胴部分が、皺を発生させることなく肩部曲面３１に成形し直される。その後の３工程目で、この新たに絞り成形された有底円筒部４２を、該肩部曲面３１に続く仮想曲面の縦断面円弧に対して引いた接線に近似した縦断面直線形状のテーパー面を先端部に有する皺押さえ用プッシャー１５と、該肩部曲面３１に続く仮想曲面の縦断面円弧に対して引いた接線に近似した縦断面直線形状のテーパー面を先端部に有し、該テーパー面の外径が該プッシャー１５のテーパー面の外径よりも大きい再絞り用ダイ１４と、再絞り用パンチ１６とを用いて、該有底円筒部４２の底コーナー部を皺押さえした状態で、更に小径の有底円筒状に絞り成形する（図３、図７参照）。更に、４工程目で、その様な絞り工程をもう一度繰り返すことにより、有底円筒部４２の直径を口頸部の直径とほぼ同じになるまで縮径する。４工程目の再絞り用ダイ１４と皺押さえ用プッシャー１５のテーパー面は、それぞれ３工程目のものよりも、缶軸に対して大きい角度を成す傾斜面とする。
【００７５】
なお、使用する金属薄板材料の厚さや硬度にもよるが、目的とする口頸部の直径が、概ねＤＩ缶の胴部の直径の半分以上であれば、図３の再絞り加工により、有底円筒部４２の直径を目的の口頸部の直径とほぼ同じにすることができる。即ち、図３における再絞り工程の繰り返しを省略することができる。
【００７６】
これらの３工程目と４工程目では、それぞれの前工程で形成された肩部の傾斜面と有底円筒部との間の境界線（または屈曲部）４３を、再絞り加工のための該ダイ１４と該プッシャー１５との間を通すことにより、押し潰して平坦部に変えておく。
【００７７】
その後、５工程目で、その様な絞り加工の繰り返しにより当初の肩部曲面３１に続いて形成された、２個の傾斜面３２，３３を有する肩部３の上部を、曲面形状の一対の成形工具１９，２０間に挟み込んで、連続した滑らかな曲面に再成形（リフォーム）する。
【００７８】
次いで、図４に示すように、トップドーム成形の６番目と７番目で、口頸部４とほぼ同じ直径に成形された有底円筒部４２に２回の口絞り成形を施す。なお、６番目の工程では、有底円筒部４２の上半分を更に絞り加工し、また、７番目の工程では、６番目の工程で絞り加工した有底円筒部の上半分の更に上半分を絞り加工する。このような加工を行ってから、有底円筒部４２の上端閉鎖部をトリミングする。こうして、上端が開口した口頸部４を形成する。
【００７９】
その後、図５に示すように、口頸部のカール・ネジ成形工程において、口頸部４の開口端部を外巻カールして環状のカール部６１を形成し（図５）、更にカール部６１から下方に続く口頸部４の円筒状周壁に、図示しないピルファープルーフキャップのネジ部と螺合するためのネジ部６２を形成すると共に、ネジ部６２の下方に、ピルファープルーフキャップの破断帯を固着させるための環状凸部６３を形成する。
【００８０】
それから、口頸部とは反対側の缶胴の下端開口縁部１１０にネックイン加工とフランジ加工とを施す。そして、図示しない次の工程において、図１に示すように、金属薄板材からなる別部材の底蓋５を下端開口縁部１１０に二重巻き締め法により一体的に固着してボトル型缶１を完成させる。
【００８１】
上記の様な肩部が曲面となっている第一実施例のボトル型缶の製造について更に詳細に説明する。
【００８２】
原材料の金属薄板は、アルミニウム合金板の両面に、予めポリエステル樹脂、ポリプロピレン樹脂等の熱可塑性樹脂フィルムをラミネートした厚さが０.１〜０.４ｍｍの金属薄板である。具体的には、厚さが０．３１５ｍｍのアルミニウム合金板（日本工業規格（ＪＩＳ）の３００４Ｈ１９１アルミニウム合金板）の両面に、ポリエチレンテレフタレートフィルムを、それぞれ２０μｍの厚さとなるようにラミネートした金属薄板を使用している。
【００８３】
このラミネートした金属薄板の表面には、ノルマルブチルステアレート、流動パラフィン、ペトロラタム、ポリエチレンワックス、パーム油等の周知の潤滑剤を塗布しておく。
【００８４】
なお、原材料の金属薄板に対する熱可塑性樹脂フィルムのラミネートの方法としては、熱可塑性樹脂フィルムを金属薄板の金属面に直接熱接着させる方法以外に、接着性プライマー層又は硬化型の接着剤層若しくは熱接着性の良好な熱可塑性樹脂層を介して、熱可塑性樹脂フィルムを金属薄板の金属面に熱接着する方法がある。
【００８５】
一缶毎のブランク１００は、上記の金属薄板を直径１７０ｍｍの円板状に打ち抜いたものであって、この円板状のブランク１００を高さ４８.３ｍｍ、外径１００ｍｍのカップ形状に絞り加工してから、このカップ１０１の側壁に絞り・しごき加工を施して、その後、開口端側の端部をトリミングすることにより、高さ１７１.５ｍｍ、外径６５.９ｍｍの有底円筒状のＤＩ缶１０３としている。
【００８６】
なお、前記したように、外径１００ｍｍのカップ１０１を再絞り成形する際に開口端にフランジを残すように絞り加工し、その後のしごき加工をする際にもフランジを残すことにより、この段階でのトリミング工程を省略することができる。
【００８７】
上記有底円筒状のＤＩ缶１０３における缶底側を、縦断面形状が円弧状の肩部３と小径円筒状の口頸部４とを有するボトル型缶のトップとなるように、絞り加工するのに先立って、すなわち缶底を、ドーム状の肩部と小径円筒状の口頸部とに成形するのに先だって、ＤＩ缶１０３を被覆しているポリエチレンテレフタレート樹脂の融点以上に全体を加熱した後、急冷してポリエチレンテレフタレートフィルムを非晶質化することにより、このフィルムとアルミニウム合金板との密着性を向上させておく。なお、ポリエチレンテレフタレートフィルムの非晶質化は、このフィルムをアルミニウム合金板にラミネートする工程の直後に実施しても良い。
【００８８】
次に、ＤＩ缶１０３の缶底側を肩部３と口頸部４とに成形するための絞り加工工程、すなわち図３に示す加工工程として、本実施例では、以下の様な方法によって口頸部の絞り成形を行っている。
【００８９】
先ず、絞り・しごき加工により有底円筒状に成形されたＤＩ缶１０３を、先端外周縁部が曲面形状のパンチ（図示せず）に冠着し、更に内周面が該パンチの外周縁と相似形状のダイ（図示せず）に対して、該パンチを、ＤＩ缶１０３の缶底４１を挟んで当接する位置まで移動させて、図６に示すように、ＤＩ缶１０３の缶底コーナー部を縦断面が円弧状の肩部曲面３１となるように予備成形する。
【００９０】
次に、図６に示すように、缶底コーナー部の肩部曲面３１を、該肩部曲面に３１に密着する曲面１１１，１２１を備えた工具、すなわち肩部曲面３１の外面側と接触する絞り用ダイ１１と肩部曲面３１の内面側と接触する皺押さえ用プッシャー１２とにより皺押さえする。その状態で、絞り用パンチ１３により、ＤＩ缶１０３の平坦な缶底４１を缶胴よりも小径の有底円筒部４２に絞り成形する。この絞り成形により、今まで肩部曲面３１であった部分が有底円筒部４２に成形し直され、円筒状の胴部であった部分が肩部曲面に成形し直される。
【００９１】
その結果、この有底円筒部４２の下方には肩部曲面３１が皺を発生することなく、また大きく形状を変えることなく再成形されている。
【００９２】
その後、図７に示すように、新たに絞り成形された有底円筒部４２に対する再絞り成形を、肩部曲面３１に続く仮想曲面の縦断面円弧に対して引いた接線に近似した縦断面がほぼ直線形状のテーパー面を先端部に有する皺押さえ用プッシャー１５と、該肩部曲面３１に続く仮想曲面の縦断面円弧に対して引いた接線に近似した縦断面がほぼ直線形状のテーパー面を先端部に有し、該テーパー面の外径が該プッシャー５のテーパー面の外径よりも大径となっている再絞り用ダイ１４と、再絞り用パンチ１６とを用いて行う。すなわち、有底円筒部４２の底コーナー部をプッシャー１５とダイ１４とで皺押さえした状態で、パンチ１６により、有底円筒部４２を更に小径の有底円筒状に再絞り成形する。この工程が、本発明における第二の小径円筒部形成工程に相当している。
【００９３】
なお、この明細書において、縦断面がほぼ直線状のテーパー面とは、厳密な意味では、縦断面が直線状でなくても良いが、対面する該プッシャー１５と該ダイ１４との間で有底円筒部に対する皺押さえ作用を行えるように概ね平坦な面を有していることを意味している。また、この明細書において、肩部曲面に続く仮想曲面の縦断面円弧に対して引いた接線とは、肩部曲面３１を延長して図１に示すドーム状の肩部３を形成するために、再絞り加工によって形成される肩部の一部分となる傾斜面が、ドーム状の肩部３、即ち、肩部曲面とそれに続く仮想曲面において占めるであろう位置に対して引いた接線を意味する。
【００９４】
その後、この成形した小径円筒部を、更に小径の有底円筒部に絞り成形する再絞り加工を繰り返すことにより、有底円筒部の直径を予め設定しておいた口頸部４の直径とほぼ等しくなるまで縮径する。この加工工程が、第二の小径円筒部形成工程の繰り返し（または第二の小径円筒部形成工程の２回以上の実施）に相当する。
【００９５】
なお、形成しようとする口頸部４の直径とＤＩ缶１０３の胴部２の直径との比が１／２以上であれば、この第二の小径円筒部形成工程の繰り返しを省略できることは、前述した通りである。
【００９６】
ここで、第二の小径円筒部形成繰り返し工程で使用する再絞り用ダイ１４と皺押さえ用プッシャー１５との各テーパー面は、肩部曲面３１に続く仮想曲面の縦断面円弧に対して引いた接線に近似した縦断面ほぼ直線状のテーパー面となっているから、加工順序が後になる絞り工程で使用されるプッシャー１５およびダイ１４ほど、そのテーパー面の傾斜がなだらかになる。すなわち、第二の小径円筒部形成工程で使用する再絞り用ダイ１４及び皺押さえ用プッシャー１５の各テーパー面と比べると、缶の軸線との間で成す角度（または有底円筒部４２の軸線に対する傾斜角度）が大きくなるように設定される。
【００９７】
この工程では、缶底の外面側と接触する前記ダイ１４の外径が、缶底の内面側と接触する該プッシャー１５の外径よりも大径であること、換言すれば、図７に示すように、該ダイ１４の斜め下方に延びているテーパー面下端が該プッシャー１５の斜め下方に延びているテーパー面下端よりも缶軸から外方にまで延びている（特に、ダイ１４のテーパー面下端が、前工程で形成された小径円筒部の側壁よりも缶軸から半径方向外方に位置する）ことが重要である。
【００９８】
つまり、底コーナー部の再絞り加工時に、再絞り加工が進行して、缶底に当接している前記パンチ１６が前進する方向へ移動すると、小径有底円筒部の長さが図７に示されている状態から更に長くなる。その場合、肩部曲面３１の上端と有底円筒部４２の下端との間の境界線（または屈曲部）４３及びその近傍の傾斜面部分が、小径有底円筒部側からの引っ張り力により、次第にダイ１４のテーパー面に接近して、最終的には当接し、その後、このテーパー面に強く押し付けられながら更に引っ張られる。このような加工の間に、引っ張り力と前記ダイ１４のテーパー面での摩擦抵抗力による引っ張り作用とにより、前記境界線４３が不明瞭になる。あるいは前記屈曲部４３の屈曲の程度が大幅に低減される。
【００９９】
更に、引き続いて引っ張り力が作用することにより、前記境界線（または前記屈曲部）４３とその近傍の傾斜面部とが、互いに対向して押圧力を生じさせているダイ１４のテーパー面とプッシャー１５のテーパー面との間に引き込まれるから、前記境界線４３の部分（または前記屈曲部４３の部分）に引き延ばし作用が働き、その境界線４３の部分（または前記屈曲部４３の部分）が引き延ばされてほぼ平坦もしくは滑らかな曲面になる。その形状を図７に示す。
【０１００】
ここで、もし、再絞り用ダイ１４のテーパー面の外径と皺押さえ用プッシャー１５のテーパー面の外径とが同一であったり、又はダイ１４のテーパー面の外径の方がプッシャー１５のテーパー面の外径よりも小さかった場合には、再絞り加工の進行に伴う有底円筒部側からの引っ張り力により、境界線（屈曲部）４３及びその近傍の傾斜面部が、ダイ１４のテーパー面に当接して境界線４３を不明瞭にされることなく、もしくは屈曲部４３の屈曲の程度を少なくされることなく、直ちに該ダイ１４のテーパー面と該プッシャー１５のテーパー面との間に引き込まれてしまう。それに伴い、その部分に続く前の絞り工程で形成された肩部全体も、一気に、該プッシャー１５と該ダイ１４との間に引き込まれてしまう。
【０１０１】
図７に示すように、有底円筒状の缶の半径をＤ０とし、一回目の絞り加工により形成された小径有底円筒部の半径をＤ１とし、二回目の絞り加工により形成された小径有底円筒部の半径をＤ２とすると、二回目の絞り比Ｄ１／Ｄ２を、限界絞り比（１.５程度）に対してかなり余裕を持った値、例えば、１.３程度に設定したとしても、肩部全体が、ダイ１４とプッシャー１５との間に一気に引っ張り込まれる様な絞り加工となってしまえば、実質的な絞り比がＤ０／Ｄ２に近い値になる。したがってこのような場合には、限界絞り比を超える絞り加工を行うことになるので、肩部に皺が発生してしまう。
【０１０２】
上記したように、肩部曲面３１に続く仮想曲面の縦断面円弧に対して引いた接線に近似した縦断面直線形状のテーパー面を先端部に有する皺押さえ用プッシャー１５と、肩部曲面３１に続く仮想曲面の縦断面円弧に対して引いた接線に近似した縦断面直線形状のテーパー面を先端部に有すると共に、そのテーパー面の外径が前記プッシャー１５のテーパー面の外径よりも大きな再絞り用ダイ１４と、再絞り用パンチ１６とを使用して、ダイ１４及びプッシャー１５の各テーパー面により小径の有底円筒部４２の底コーナー部を皺押さえした状態で、パンチ１６により更に小径の有底円筒状に再絞り成形することにより、前の絞り工程で形成された境界線４３及びその近傍の傾斜面部分に、有底円筒部側からの引っ張り力とダイ１４のテーパー面での摩擦抵抗力とが作用し、その境界線の部分の屈曲の程度が大幅に減少させられる。これに続いて、ダイ１４及びプッシャー１５のテーパー面の間に境界線４３及びその近傍の傾斜面部が引き込まれることにより、その境界線４３及びその近傍の傾斜面部が、この引っ張り力およびダイ１４とプッシャー１５との加圧力による引き延ばし作用により平坦化される。そして、この様な缶底４１に対する絞り成形が複数回（本実施例では３回）に分けて行われることにより、図８に示すように、肩部３は、肩部曲面３１とそれに近似した複数（２平面）のテーパー面３２，３３とに成形されることとなる。
【０１０３】
その様な曲面肩部３１及び複数のテーパー面３２，３３の境界部分には、もはや急激に変化している部分は存在しないので、肩部曲面３１から延びる仮想曲面の形状を持つ一対の成形工具（肩部の外面側と接触するダイ１９と肩部の内面側と接触するプッシャー２０）により押し延ばしすることにより、肩部３全体を肩部曲面３１に連続した滑らかなドーム形状に再成形（リフォーム）することができる。
【０１０４】
上記の様な有底円筒部の絞り成形の繰り返し回数に関して更に説明する。
【０１０５】
ＤＩ缶の板厚や材質により、一回の絞り量（絞り比）が決まり、この一回の絞り量に応じて、所定の直径の缶胴から所定の直径の有底円筒部に成形するための絞り成形回数が決定される。
【０１０６】
飲料缶用ＤＩ缶の様な板厚が０.１〜０.４ｍｍの薄い金属板（アルミニウム合金板や表面処理鋼板）での再絞りの場合、通常、その絞り比は１.５（限界絞り比）以内とされ、それを超える絞り比で加工した場合には、皺が発生するか、または絞り時に皺押さえ圧を上げて皺の発生を防止したとしても、材料の破断を引き起こす度合いが高くなる。更に、再絞りを繰り返すことに伴って加工硬化が進行するから、限界絞り比は更に小さくなる。
【０１０７】
そのために、例えば、ビールや炭酸飲料用の飲料缶には、一般に缶胴外径が約６６ｍｍ（２１１径）のＤＩ缶が使用されるので、このＤＩ缶を利用してボトル型缶を成形するにあたっては、口頸部（口頸部の最大外径部分）の最終外径を２８ｍｍとし、絞り比を１.３とすると、３回の絞り工程が必要となる。
【０１０８】
上記の様な絞り用ダイと皺押さえ用プッシャーとを使用した絞り成形に関して更に説明する。
【０１０９】
元々、絞り成形に使用する絞り用ダイと皺押さえ用プッシャーの本来の役割は、パンチの加圧力によって元の金属薄板材料が絞り用ダイの内面側に流入する際に、金属薄板材料に発生する円周方向への縮み作用により、金属薄板材料に皺が発生するのを防止することにある。したがってこれらのダイおよびプッシャーは、一定の圧力で金属薄板材料を加圧してダイの内面側に流入する金属薄板材料を所定の厚さに維持するように機能する。
【０１１０】
本発明では、再絞り成形時に、前工程の絞り成形により形成された有底円筒部と傾斜面となっている肩部との間の境界線４３を、肩部曲面３１に続く仮想曲面の縦断面円弧に対して引いた接線に近似した縦断面直線形状のテーパー面を先端部に有する前記ダイ１４及び前記プッシャー１５によって押圧することにより、該境界線４３の屈曲の程度を大幅に少なくし又は平坦化している。
【０１１１】
なお、有底円筒部を再絞り成形する際（具体的には、図７に示されている工程）に、再絞り用ダイ１４と皺押さえ用プッシャー１５として、仮に、肩部曲面３１に続く肩部の曲面形状に合致した様な再絞り用ダイ１４と皺押さえ用プッシャー１５とを使用すれば、再絞り用パンチ１６によって絞ったときに、元の有底円筒部（前工程で形成された有底円筒部）から、新たに絞られた有底円筒部への金属薄板材料の移動に連れて、肩部曲面３１の金属薄板材料が小径の有底円筒部に引き込まれることとなり、その結果、所定の絞り比よりも大きな絞り比で絞り加工することとなってしまい、肩部曲面３１に皺を発生させることになる。
【０１１２】
即ち、絞り加工の進行に伴って、有底円筒部側からの引っ張り力により移動して来た肩部曲面部分のほぼ全体が、再絞り用ダイ１４の曲面と皺押さえ用プッシャー１５の曲面との間に入る前に、この肩部曲面形状と同じ形状をした前記ダイ１４の先端部分に同時に接触するので、あたかも、大径の円筒状缶の胴部が一気に小径の有底円筒部に絞り成形されるようになる。その結果、二回目の絞り工程の絞り比Ｄ１／Ｄ２を、限界絞り比に対してかなり余裕を持った１.３程度に設定しても、実質的な絞り比がＤ０／Ｄ２に近付くので、限界絞り比を超えてしまい、肩部に皺を発生させることになる。
【０１１３】
これに対して、本実施例のボトル型缶の製造方法では、肩部曲面に続く仮想曲面の縦断面円弧に対して引いた接線に近似した縦断面直線形状のテーパー面を持つ一対の工具（皺押さえ用プッシャー１５と該プッシャー１５のテーパー面外径よりも大きいテーパー面外径を有する再絞り用ダイ１４）を使用し、上記方法で絞り成形することにより、口頸部を成形するための絞り成形を繰り返し行ったときにも、肩部に階段状の段差部を生じさせることはない。
【０１１４】
また、図８に示すように、肩部曲面に続いて形成される肩部を、曲面に近似した複数のテーパー面とテーパー面との組み合わせとして形成することができ、テーパー面の間に段差部は発生しない。
【０１１５】
その結果、図８に示されている様な、肩部曲面３１から延びる仮想曲面の形状を持つ一対の成形工具（肩部の外面側と接触するダイ１９と肩部の内面側に接触するプッシャー２０）により、複数のテーパー面を滑らかな曲面に押し延ばしつつ再成形することによって、成形痕を残す様なことなく肩部を滑らかで綺麗なドーム状の曲面に形成することができる。
【０１１６】
口頸部とほぼ同径の小径有底円筒部とドーム状の曲面を有する肩部とを成形した後、図４に示すように、有底円筒部４２の上半分を更に小径にする絞り加工を行い、この上半分の更に上半分を小径にする絞り加工を行った後、小径有底円筒部の先端部をトリミングして開口し、その後、図５に示すように、口頸部４の開口端を外側に僅か曲げるプレカールを行い、そのプレカール部分を完全に外巻カールしてカール部６１を完成させてから、カール部６１の下方に螺旋ネジ部６２を形成し、ネジ部６２の下方に環状の凹部を形成することにより、ピルファープルーフキャップの破断バンドを固定するための環状凸部６３を成形した後、口頸部４と反対側の胴部開口端側に、周知のネックイン加工とフランジ加工とを施して底蓋巻き締めの準備をする。
【０１１７】
口頸部４とは反対側の缶胴の下端開口部を閉鎖するための底蓋は、両面に２０μｍ厚のポリエチレンテレフタレートフィルムを熱融着させたアルミニウム合金板（日本工業規格（ＪＩＳ）の５１８２−Ｈ３９アルミニウム合金板）製で、板厚が０．２８５ｍｍ、直径が６２.６ｍｍの缶蓋であり、ネックイン加工及びフランジ加工を施された缶胴の下端開口端縁部に二重巻き締めにより一体的に固着される。
【０１１８】
上記した本実施例では、アルミニウム合金板の両面に予めポリエステル樹脂、ポリプロピレン樹脂等の熱可塑性樹脂フィルムをラミネートした様な合成樹脂被膜付き金属薄板からボトル型缶を製造していることにより、ボトル型缶を成形した後には塗装し難い構造である小径のネジ付き口頸部についても充分に耐食性を付与することができる。
【０１１９】
更に、金属薄板の絞り加工、曲げ延ばし加工（ストレッチ加工）、しごき加工、ビード加工及びネジ部形成加工等の加工時に、金属薄板表面を被覆している熱可塑性樹脂フィルム層が潤滑剤の役目をするうえに、金属薄板の伸び及び曲げ加工時に熱可塑性樹脂フィルム層が追従して伸びたり曲がったりするために、薄肉化された缶胴を有するうえにカール成形及びネジ成形を施した小径の口頸部を有するにも拘わらず、被膜の被覆状態を缶の成形後まで良好に維持することができる。
【０１２０】
なお、本実施例のボトル型缶の製造方法では、有底円筒状の缶における薄肉化された缶胴（側壁部分）の缶底近傍を、肩部（肩部の一部）に予備成形している。その予備成形の際に、皺を発生させないようにするためには、再成形される缶胴部分（缶底近傍の側壁部分）の厚さを、缶底の板厚（加工前の金属薄板の板厚と同じ）の６０％以上の厚さにしておくことが好ましい。
【０１２１】
次に、本発明のボトル型缶の製造方法の第二実施例について、図９と図１０と図１１とを参照して説明する。
【０１２２】
図９は、第一実施例で示したボトル型缶とは、肩部形状の異なるボトル型缶の例を示す正面図であって、右半分が断面図となっている。
【０１２３】
また、図１０は、本発明のボトル型缶の製造方法の第二実施例における、缶底を絞り成形されて小径円筒部を形成された薄肉缶における小径円筒部を更に小径にする絞り加工工程を示す図である。
【０１２４】
さらに、図１１は、三回の絞り（再絞り）加工工程で形成された１個の肩部曲面と２個の浅い凹曲面と１個の狭い凸部を有する肩部を、胴部側の曲面が残された部分を除いて、縦断面直線状の傾斜面の肩部に再成形する肩部再成形工程を説明するための図である。
【０１２５】
図９に示されているボトル型缶は、ネジ部付き口頸部２０４の下端に、ほぼ円錐台形の傾斜面を有する肩部２０３（図９に示されているボトル型缶の肩部の缶の軸線に対する傾斜角度は約２０゜となっている。）を備え、その肩部２０３と円筒状胴部２０２との連結部分が曲面状であり、肩部が胴部の長さに近い長さを有するボトル型缶２０１であり、円筒状胴部の下端部分にネックイン加工を施されて底蓋２０５が巻き締められている。
【０１２６】
このボトル型缶２０１は、口頸部２０４が長くて胴部が短いことと、肩部２０３の形状が縦断面直線状の傾斜面であることを除いて、第一実施例で示した形状と類似している部分が多く、また成形方法も一部を除いて変わりがないので、図面に第一実施例のボトル型缶の参照数字に「２００」を足した数字を付けて異ならない部分の説明をごく簡単にし、第一実施例と異なる部分及び成形方法のみを説明し、一部の説明を省略する。
【０１２７】
このボトル型缶の製造方法は、下記の通りである。
【０１２８】
先ず、ポリブチレンテレフタレート樹脂とポリエチレンテレフタレート樹脂とを６０：４０の混合比率で混合した樹脂を素材として成形された、厚さ２０μｍの二軸配向フィルムを、２８０℃に加熱したアルミニウム合金薄板の両面に熱融着させ、その直後に急冷することにより、これらの混合樹脂から成るフィルムを非晶質化した有底円筒状缶の成形用ブランクとして用いられる金属薄板を製造した。
【０１２９】
上記樹脂の様な熱可塑性樹脂フィルムで被覆した金属薄板の両面に周知の潤滑剤を塗布してから、ブランクを打ち抜き、カップ形状に絞り加工をし、カップの側壁部に絞り・曲げ延ばし・しごき加工を施し、その後、開口端部を所定の長さにトリミングする工程は、図２に示したものと同じである。
【０１３０】
なお、図２の絞り・曲げ伸ばし（ストレッチ）・しごき加工工程を、３つの工程で行い、その第３番目の工程において、先端外周縁部が曲面仕上げになったパンチを使用して、缶の底コーナー部を肩部曲面２３１にする予備成形を行った。この予備成形で形成する肩部曲面形状は、肩部に形成しようとする傾斜面に合わせた曲率半径にする。
【０１３１】
肩部曲面２３１の予備成形を行った後の工程である小径円筒状の口頸部と円錐台形状肩部との成形工程は、図３及び図４に示されている工程とほぼ同じであるが、図３の肩部再成形により成形された肩部の形状とそれに続く口頸部の絞り工程を示す図４に示されている肩部形状のみそれぞれ図面とは異なる。
【０１３２】
口頸部２０４と肩部２０３の成形を行った後の工程であるネジ・カール成形工程は、肩部の形状が異なることを除いて図５に示す工程と全く同じである。
【０１３３】
さて、肩部曲面の予備成形を施された薄肉缶に対しては、図６に示されているのとほぼ同じ一対の皺押さえ工具（ダイとプッシャー）を使用して、平坦な缶底を缶胴よりも小径の有底円筒状に成形する絞り成形が施される。この絞り成形により、予備成形された肩部曲面が小径の有底円筒状部の一部に成形し直され、その下方の缶胴の一部が皺を発生させることなく肩部曲面に成形し直される。その絞り成形された缶の要部の形状は、図１０に示されている。一回目の絞り工程で缶底を絞り成形して、小径円筒部２４２を成形した後の缶に対して、図１０に示すように、小径有底円筒部の外面側に接触する再絞り用ダイ２１４と、小径有底円筒部の内面側と接触する皺押さえ用プッシャー２１５と、再絞り用パンチ２１６とを使用して、更に小径の有底円筒部を成形する加工を施す。
【０１３４】
ここでは、使用する再絞り用ダイ２１４の形状が第一実施例とは大きく異なる。即ち、第一実施例では、予備成形された肩部曲面に続く仮想曲面の縦断面円弧に対して引いた接線に近似した縦断面ほぼ直線状のテーパー面を有するダイを使用したが、本実施例では成形する肩部が、縦断面直線状の傾斜面であるので、仮に、この傾斜面とほぼ同じ傾斜面を有するダイ２１４を使用して絞り加工を行うと、以下の様な不都合が発生する。
【０１３５】
即ち、再絞り加工の進行により、前工程で成形した傾斜面（肩部曲面）２３１が再絞り用ダイ２１４に次第に接近して来て、図１０に示されている再絞り加工の段階では、前の絞り加工工程で形成された傾斜面２３１がダイ２１４のほぼ全面と接触してしまうので、実質的にＤ０／Ｄ２に近い絞り比での絞り加工となってしまう。
【０１３６】
その結果、この絞り（再絞り）加工工程で予定していた絞り比であるＤ１／Ｄ２が絞り限界に対して余裕を持った１.３程度の絞り比を選定していたとしても、絞り限界を超えた絞り加工になってしまい、肩部になる傾斜面部分に皺が発生してしまう。
【０１３７】
そこで、本実施例では、缶の小径有底円筒部の外面側と接触する皺押さえ工具である前記ダイ２１４の先端部側、即ち、縦断面がほぼ直線状のテーパー面となっているプッシャー２１５と対面する部分（この部分は縦断面がほぼ直線状のテーパー面となっている）よりも先端部分のダイ２１４の表面形状を、形成しようとする肩部の傾斜面に近い傾斜を有する凸曲面（即ち、図１０に示されているように、ダイ２１４の傾斜面の下端部を、缶軸の半径方向外方かつ下方へ曲がる縦断面円弧状）にして、前工程で形成された傾斜面（肩部曲面）２３１がダイ２１４の全面と接触するのを防止した。
【０１３８】
そして、有底円筒部側からの引っ張り力により該ダイ２１４に接近する傾斜面２３１が小面積部分でダイ２１４と接触して摩擦抵抗を受けながらダイ２１４とプッシャー２１５との間に引き込まれて行くようにしたことが大きな特徴である。ダイ２１４とプッシャー２１５とが、この様な働きをするために、本実施例では、ダイ２１４の凸曲面の下端が、プッシャー２１５のテーパー面下端よりも缶軸の半径方向外方に位置するように、ダイ２１４とプッシャー２１５の寸法を決める必要がある。
【０１３９】
本実施例の再絞り用ダイ２１４は、図１０から明らかなように、絞り加工の進行に連れて、次第に凸曲面の先端部分で缶の小径の有底円筒部から傾斜面へと接触するようになるが、前工程で形成された小径の有底円筒部２４２の下端と肩部曲面２３１の上端との境界線２４３及びその近傍の肩部曲面部分がダイ２１４とプッシャー２１５との間に引き込まれるまで（図１０参照）は、縦断面が円弧状の部分、即ち、凸曲面の全面で接触しないようになっている。
【０１４０】
図１０に示す工程では、前記境界線２４３及びその近傍の肩部曲面部分が引き延ばされ、しかもダイ２１４の凸曲面形状を転写されて、浅い凹曲面形状になる。
【０１４１】
図１０に示す小径の有底円筒部の再絞り加工工程を終了した後、成形した有底円筒部に対して、同様な条件で、更にもう一段小径にする再絞り加工を、図１０に示す順序で行う。
【０１４２】
その結果、底部側には、小径の有底円筒部と２個の浅い凹曲面が１個の狭い凸部で連結されていると共に肩部曲面２３１を有する肩部とを備えた薄肉缶が形成される。
【０１４３】
その後、図１１に示すように、約２０゜の傾斜角度を有するテーパー面を備えた再成形用ダイ２１９及び再成形用プッシャー２２０と、再成形用パンチ２２１とを使用して、肩部曲面２３１を除く肩部全体をそのダイ２１９とプッシャー２２０とで挟み込むと共にパンチ２２１を少し前進させて有底円筒部２４２の底部に押圧力を付与することにより、肩部に有底円筒部側からの引っ張り力を加えて、肩部の２個の浅い凹曲面と狭い１個の凸部を引き延ばして、約２０゜の傾斜面の肩部に再成形する。
【０１４４】
本実施例においても、形成しようとする口頸部（口頸部の最大外径部分）の直径と缶の胴部直径との比が１／２以上であれば、二回の絞り加工工程で所定の直径を有する口頸部が得られるので、図１０に示す工程を繰り返す必要はない。
【０１４５】
さて、図１２に示されているのは、肩部の形状が縦断面直線状の傾斜面であり、缶の軸線に対する角度が約４５゜となっている第三実施例の方法で製造されるボトル型缶３０１である。
【０１４６】
また、図１３に示されているのは、第三実施例のボトル型缶３０１の製造工程のうち、薄肉缶の底部コーナー部を肩部曲面に予備成形した後、絞り加工して形成した小径の有底円筒部を再絞り加工する工程を示す図である。
【０１４７】
このボトル型缶３０１は、肩部形状だけが第一実施例で示したボトル型缶（ドーム形状の曲面形状の肩部を有する）と異なる。小径円筒部の再絞り加工工程は、第二実施例と殆ど同じであるので、図面に、第二実施例の同じ部品や部分の参照数字に「１００」を足した数字を付けて説明を簡単にするか又は省略する。
【０１４８】
このボトル型缶３０１の製造工程のうち、肉薄缶を成形する工程は、第一実施例の図２と同じであり、缶の底部側を絞り加工して小径の口頸部と傾斜面を有する肩部に成形する工程のうち、肩部曲面の予備成形工程と、図６に示されている肩部曲面と同一の曲面を有する一対の皺押さえ工具を用いた絞り加工工程は、第一実施例と同じである。
【０１４９】
また、このボトル型缶の製造工程のうち、二回目の絞り（再絞り）加工工程（第二の小径円筒部形成工程）とその繰り返し工程（第二の小径円筒部形繰り返し工程）は、図１０に示されている第二実施例とほぼ同じであるが、明確にするために図１３に示す。
【０１５０】
即ち、再絞り用ダイ３１４と皺押さえ用プッシャー３１５との間で、小径の有底円筒部３４２の底部コーナー部を皺押さえした状態で、再絞り用パンチ３１６を再絞り用ダイ３１４の方向へ前進させて行くと、前工程で形成された小径の有底円筒部３４２とその下方の肩部曲面３３１との間の境界線３４３の部分及びその近傍の肩部曲面部分が、ダイ３１４の凸曲面に接近し、ついには、ダイ３１４の縦断面円弧状の部分、即ち、凸曲面と接触する。ついで、前記境界線３４３の部分及びその近傍の肩部曲面部分が、その凸曲面から摩擦抵抗を受けながら、ダイ３１４の傾斜面とプッシャー３１５の傾斜面との間に引き込まれて進み、その間に、前記境界線３４３の部分が殆ど平らに成形される。そして、再絞りを停止すると、図１３に示すように、肩部曲面より上方部分が、ダイ３１４の凸曲面が転写されて凹曲面形状になる。本実施例では、ダイ３１４の凸曲面の下端の位置が、プッシャー３１５のテーパー面の下端位置よりもかなり缶軸の半径方向外方にある。
【０１５１】
また、本実施例のボトル型缶の肩部の再成形工程は、図１１に示されている第二実施例と同じである。
【０１５２】
更に、小径有底円筒部の上半分を絞り成形する工程と、その工程で絞り成形された有底円筒部の上半分の部分のうち、更にその上半分だけを絞り成形する工程と、二段絞りされた部分の上端部を切断するトリミング工程は、肩部形状が異なる点以外は図４に示されている第一実施例と同じであり、カール成形とネジ成形及びビード成形も肩部の形状が異なる点以外は図５に示された第一実施例と同じである。
【０１５３】
以上、本発明のボトル型缶の製造方法の幾つかの実施例について説明したが、本発明は、上記の実施例に限られるものではない。
【０１５４】
例えば、材料となる金属薄板は、アルミニウム合金板に限らず、製缶用に使用されている各種の金属メッキや化成処理等の表面処理をした極薄メッキ量の銀メッキ鋼板、ニッケルメッキ鋼板、電解クロム酸処理鋼板（ＴＦＳ−ＣＴ）、亜鉛メッキ鋼板等の表面処理鋼板を使用することが可能である。
【０１５５】
また、熱可塑性樹脂フィルムとしては、ポリエチレンテレフタレート/イソフタレート共重合体、ポリエチレンテレフタレート/アジペート共重合体、ポリブチレンテレフタレート/イソフタレート共重合体、ポリエチレンナフタレート/テレフタレート共重合体、ポリブチレンテレフタレート、ポリエチレンナフタレート、ポリエチレンテレフタレート、ポリプロピレン、エチレンープロピレン共重合体、酸変性ポリプロピレンの単独又は複数の混合樹脂が好適に使用でき、更に、これらの樹脂から成るフィルムを多層構成にしても良い。
【０１５６】
更に、熱可塑性樹脂フィルム等の合成樹脂被膜により被覆されていない金属薄板を材料とし、缶の成形後に、塗装をすることも可能である。
【０１５７】
更にまた、有底円筒状の缶の成形方法については、金属薄板を打ち抜いてカップに絞り加工した後、再絞り加工しながら曲げ延ばし（ストレッチ）加工を施して胴壁を薄肉化する工程（再絞り工程）を一回以上行うことで得ても良いし、絞り加工で成形したカップに、再絞り加工しながら曲げ伸ばし加工としごき加工とを施して胴壁を薄肉化する工程を一回以上行うことで得ても良く、更には、再絞り加工時に曲げ伸ばし加工を施し、その後しごき加工を施すことで得ても良い等、適宜変更可能なものであることは言うまでもない。
【０１５８】
また、薄肉缶の成形工程において、肩部曲面を予備成形する場合でも、例えば、再絞り加工をするパンチの先端外周縁部を比較的大きな曲率半径の曲面にしておいて、再絞り加工時に、最終形状の曲面よりも少し大きな肩部曲面の再絞りカップを成形し、その後のしごき加工又はストレッチ加工としごき加工をするパンチの先端外周縁部を再絞り時のパンチよりも小さな曲率半径の曲面にしておいて、しごき加工またはストレッチ加工及びしごき加工時に薄肉缶の底部コーナー部を所定の曲率半径の肩部曲面に予備成形する様な多工程で予備成形することも可能である。
【０１５９】
更に又、前記第一実施例では、外径６５．９ｍｍの有底円筒状の缶の底部側に３回の絞り加工を施して外径２８．０ｍｍの口頸部（最大外径部分の外径）を形成しているが、例えば、口頸部の外径を３８．０ｍｍ前後の数値にすれば、上記絞り加工を２回にすることができる。
【０１６０】
すなわち、図３に示されている第二の小径円筒部形成工程の繰り返しを省略することができる。第二の小径円筒部形成工程を一回だけで済ますことにより、ボトル型缶の工程削減に伴う製造コストの低下をもたらすことができる。
【０１６１】
同様に、第一の実施例及び第二の実施例でも、口頸部の直径を大きくすれば、再絞り工程を削減することが可能になる。
【産業上の利用可能性】
【０１６２】
本発明は、金属板を素材としてボトル型の缶を製造する方法であり、従ってビールや炭酸飲料などの各種の飲料用の容器を製造する産業分野で利用することができる。そして、金属缶であってもキャップによって再封止が可能であり、また、使用済みの一般的な金属缶と同様に回収することができるので、飲料缶の製造分野で大いに利用可能である。
【図面の簡単な説明】
【０１６３】
【図１】本発明の方法により製造されるボトル型缶の一例を示す右半分を断面とした部分断面側面図である。
【図２】図１に示したボトル型缶の製造過程における金属薄板を打ち抜いた円形ブランクから有底円筒状の缶を製造するまでの工程を示す側面説明図であり、ブランク、カップ成形工程での形状、ボディ成形工程での形状、トリミング工程での形状を順に示す図である。
【図３】図１に示したボトル型缶の製造過程における有底円筒状の缶の缶底のトップドーム成形工程を示す側面説明図であり、第１工程での形状、第２工程での形状、第３工程での形状、第４工程での形状、リフォーム工程である第５工程での形状を順に示す図である。
【図４】図１に示したボトル型缶の製造過程におけるトップドーム成形により形成された有底円筒状の缶の小径の有底円筒部の口絞り成形とトリミング工程とを示す側面説明図であり、第１口絞り成形工程での形状、第２口絞り成形工程での形状、トリミング工程での形状を順に示す図である。
【図５】図１に示したボトル型缶の製造過程における口頸部のカール・ネジ成形と缶胴下端開口部のネックイン加工及びフランジ加工の各工程を示す側面説明図であり、プレカール成形工程での形状、カール成形工程での形状、ネジ成形工程での形状、ビード成形工程での形状、胴部開口端側へのネックおよびフランジ成形工程での形状を順に示す図である。
【図６】図３に示したボトル型缶の製造過程のトップドーム成形工程における、缶底コーナー部が肩部曲面に予備成形されたＤＩ缶の缶底を小径の有底円筒状に絞り成形する過程を示す図であり、予備成形されたＤＩ缶の正面形状、絞り成形開始時の状態、絞り成形の終了時点の状態を順に示す図である。
【図７】図３に示したボトル型缶の製造過程におけるトップドーム成形工程における、缶底を小径の有底円筒状に絞り成形されたＤＩ缶の小径有底円筒部を絞り成形により更に縮径する過程を示す図であり、缶底を小径の有底円筒状に絞り成形されたＤＩ缶の正面形状、そのＤＩ缶を更に縮径するための成形開始時の状態、その縮径のための成形途中の状態、その縮径のための成形終了時の状態を順に示す図である。
【図８】図３に示したボトル型缶の製造過程のトップドーム成形工程における、肩部と口頸部とが成形されたＤＩ缶の肩部全体を滑らかなドーム形状に再成形（リフォーム）する過程を示す図であり、肩部と口頸部とが成形されたＤＩ缶の正面形状、そのリフォーム状態を順に示す図である。
【図９】本発明の方法により製造されるボトル型缶の他の例を示す右半分を断面とした部分断面側面図である。
【図１０】本発明のボトル型缶の製造方法の第二実施例における、缶底を絞り成形されて小径円筒部を形成された薄肉缶に対して、小径円筒部を更に小径にする再絞り加工を施す工程を示す図であり、加工前の小径円筒部の形状、その絞り加工開始時の状態、小径円筒部の絞り加工が開始された状態、小径円筒部の中間部にまで絞り加工が進行した状態、小径円筒部の根元の部分にまで絞り加工が進行した状態、更に絞り加工が進行した状態、再絞り成形の完了した小径円筒部に形状を順に示す図である。
【図１１】三回の絞り（再絞り）加工工程で形成された１個の肩部曲面と２個の浅い凹曲面と２個の浅い凹曲面の間の１個の狭い凸部とを有する肩部を、縦断面直線状の傾斜面の肩部に再成形する肩部再成形工程を説明する図であり、その再成形加工開始時の状態、ダイとプッシャーとで挟み込んだ状態、パンチで引っ張り力を与えている状態を順に示す図である。
【図１２】本発明の方法により製造されるボトル型缶の更に他の例を示す右半分を断面とした部分断面側面図である。
【図１３】本発明の第三の実施例によるボトル型缶の製造過程のうち、絞り成形により形成された小径の有底円筒部を再絞り加工する工程を示す図であり、加工前の小径円筒部の形状、その再絞り加工開始時の状態、小径円筒部の絞り加工が開始された状態、小径円筒部の中間部にまで絞り加工が進行した状態、小径円筒部の根元の部分にまで絞り加工が進行した状態、絞り加工された小径円筒部を肩部側に引き延ばした状態、絞り成形の完了した小径円筒部の形状を順に示す図である。
【図１】
0004578751.tif 000002
【図２】
0004578751.tif 000003
【図３】
0004578751.tif 000004
【図４】
0004578751.tif 000005
【図５】
0004578751.tif 000006
【図６】
0004578751.tif 000007
【図７】
0004578751.tif 000008
【図８】
0004578751.tif 000009
【図９】
0004578751.tif 000010
【図１０】
0004578751.tif 000011
【図１１】
0004578751.tif 000012
【図１２】
0004578751.tif 000013
【図１３】
0004578751.tif 000014